(57)【特許請求の範囲】
【請求項１】
東西方向よりも南北方向に長く形成された複数階建ての建物本体の上に、北側に位置する棟側端部が高く、かつ南側に位置する軒側端部が低い片流れ屋根が設けられた建物において、
前記片流れ屋根には太陽光発電アレイが設置されており、
前記建物本体における上階のうち前記軒側端部の下方に位置する領域は、隣接する上階の部屋よりも天井高の低い低天井領域とされており、
前記低天井領域には、当該低天井領域に隣接する他の部屋に対する採光または通風のための非居室空間として、床から前記片流れ屋根まで吹き抜けたバルコニーが設けられており、
前記低天井領域の周囲には外壁があり、当該低天井領域の周囲にある外壁のうち前記バルコニーの南側にある外壁の一部には開口部が形成されており、
前記片流れ屋根のうち前記バルコニー上方に位置する箇所には屋根開口部が形成され、前記太陽光発電アレイは当該屋根開口部を避けて配置されていることを特徴とする建物。
【請求項２】
請求項１に記載の建物において、
前記開口部には、前記バルコニーに面する手摺が設けられていることを特徴とする建物。
【請求項３】
請求項１または２に記載の建物において、
前記建物本体よりも前記片流れ屋根の方が、東西方向よりも南北方向に長く形成されていることを特徴とする建物。
【請求項４】
請求項１〜３のいずれか一項に記載の建物において、
前記低天井領域には、前記非居室空間として、当該低天井領域の下方に配置される下階の部屋と前記片流れ屋根との間に位置する吹抜け空間が設けられていることを特徴とする建物。
【請求項５】
請求項１〜４のいずれか一項に記載の建物において、
前記建物本体は、下階よりも上階の方が、東西方向よりも南北方向に長く形成されていることを特徴とする建物。
【発明の詳細な説明】
【技術分野】
【０００１】
本発明は、住宅等の建物に関する。
【背景技術】
【０００２】
例えば都市部等のように敷地形状・敷地面積の制約から、建物も南北方向に長く形成せざるを得ない場合や、建築主の要望により建物を南北方向に長く形成する場合がある（特許文献１参照）。
【０００３】
また、屋根の上に太陽光発電アレイを設置する際は、南向きの屋根面が極力広いことが望まれる（特許文献２参照）。
【先行技術文献】
【特許文献】
【０００４】
【特許文献１】特開２０００−２５７２７５号公報
【特許文献２】特開平１１−１０１００５号公報
【発明の概要】
【発明が解決しようとする課題】
【０００５】
ところで、切妻屋根や寄棟屋根を始め、棟を境に複数の屋根面が形成される屋根の場合、南向きの屋根面を形成すれば、北向きの屋根面も同時に形成されることになる。そのため、太陽光発電アレイを設置できる数量が少なくなってしまい、発電効率を高めることが難しかった。
そこで、建物の屋根に、屋根面全体が南向きとなる片流れ屋根を採用したいという要望があった。
しかし、建物の北側には、北側隣地の日照の悪化を防ぐために斜線制限が適用されるため、片流れ屋根の棟に相当する北側端部を斜線制限内に収める必要があった。ところが、このように北側端部を斜線制限内に収めるとなると、片流れ屋根の軒に相当する南側端部は、北側端部よりもさらに低い位置に設けられることになる。そのため、片流れ屋根の南側端部（軒側端部）付近の下方に部屋を設けてしまうと、当該部屋において十分な天井高を確保できず、住人が日常的に使用する部屋には適さない低天井の領域となってしまうという問題があった。しかしながら、デッドスペースにしてしまうと空間の有効利用の観点からは好ましくない。
【０００６】
本発明の課題は、軒側端部の下方に位置する低天井領域を有効利用しつつ、太陽光発電アレイによる発電効率を高めることが可能な建物を提供することにある。
【課題を解決するための手段】
【０００７】
請求項１に記載の発明は、例えば図１〜図８に示すように、東西方向よりも南北方向に長く形成された複数階建ての建物本体２の上に、北側に位置する棟側端部３ａが高く、かつ南側に位置する軒側端部３ｂが低い片流れ屋根３が設けられた建物１において、
前記片流れ屋根３には太陽光発電アレイ４が設置されており、
前記建物本体２における上階のうち前記軒側端部３ｂの下方に位置する領域は、隣接する上階の部屋２１，２２よりも天井高の低い低天井領域５とされており、
前記低天井領域５には、当該低天井領域５に隣接する他の部屋１４，２２に対する採光または通風のための非居室空間として、床６ａから前記片流れ屋根３まで吹き抜けたバルコニー６が設けられており、
前記低天井領域５の周囲には外壁８があり、当該低天井領域５の周囲にある外壁８のうち前記バルコニーの南側にある外壁８の一部には開口部８ａが形成されており、
前記片流れ屋根３のうち前記バルコニー６上方に位置する箇所には屋根開口部３ｃが形成され、前記太陽光発電アレイ４は当該屋根開口部３ｃを避けて配置されていることを特徴とする。
【０００８】
請求項１に記載の発明によれば、南北に長い建物本体２の上に、北側に位置する棟側端部３ａが高く、かつ南側に位置する軒側端部３ｂが低い片流れ屋根３が設けられているので、例えば複数の屋根面を有する屋根とは異なり、北側を向く屋根面が形成されず、屋根面全面が南側を向く状態となる。そして、この片流れ屋根３に太陽光発電アレイ４が設置されているので、例えば複数の屋根面を有する屋根よりも発電効率を高めることができる。
さらに、南側の軒側端部３ｂの下方に位置する低天井領域５には、当該低天井領域５に隣接する他の部屋１４，２２に対する採光または通風のための非居室空間６，７が設けられているので、低天井領域５をデッドスペースとせずに、隣接する他の部屋１４，２２のために有効利用することができる。そして、非居室空間６，７に隣接する他の部屋１４，２２においては採光性・通風性が高まるので、当該隣接する他の部屋１４，２２における居住快適性を向上させることができる。
そして、低天井領域５の周囲には外壁８があり、当該外壁８には開口部８ａが形成されているので、当該開口部８ａを通じて採光または通風を確実に行うことができる。
また、低天井領域５の周囲には外壁８があるので、当該外壁８によって、建物１を外から見た場合の低天井領域５への視線を遮ることができる。
しかも、低天井領域５には、非居室空間としてバルコニー６が設けられているので、低天井領域５に隣接する他の部屋２２と屋外との間に介在し、これらを採光・通風のために繋ぐ空間としての役割を持たせやすいという利点がある。また、建物１内のその他の場所にバルコニーを設ける必要もないので、空間の有効利用に貢献できる。
また、バルコニー６は、床６ａから片流れ屋根３まで吹き抜けており、片流れ屋根３のうちバルコニー６上方に位置する箇所には屋根開口部３ｃが形成されているので、当該屋根開口部３ｃを通じてバルコニー６に対して採光・通風を行うことができる。さらに、バルコニー６に隣接する他の部屋２２に対して、当該バルコニー６を通じた採光・通風を行うことが可能となる。しかも、低天井領域５に設けられたバルコニー６が、床６ａから片流れ屋根３まで吹き抜けており、バルコニー６がある方の片流れ屋根３の軒側端部３ｂ自体の高さも低いため、片流れ屋根３自体や太陽光発電アレイ４にメンテナンスが必要な時に、バルコニー６から片流れ屋根３上に登りやすい。
また、太陽光発電アレイ４は当該屋根開口部３ｃを避けて片流れ屋根３に配置されているので、太陽光発電アレイ４によって採光・通風を妨げることがない。
【０００９】
請求項２に記載の発明は、例えば図１，図２，図５，図７，図８に示すように、請求項１に記載の建物１において、
前記開口部８ａには、前記バルコニー６に面する手摺６ｂが設けられていることを特徴とする。
【００１１】
請求項３に記載の発明は、例えば図３，図４，図６，図７に示すように、請求項１または２に記載の建物１において、
前記建物本体２よりも前記片流れ屋根３の方が、東西方向よりも南北方向に長く形成されていることを特徴とする。
【００１３】
請求項４に記載の発明は、例えば図１，図２，図５〜図８に示すように、請求項１〜３のいずれか一項に記載の建物１において、
前記低天井領域５には、前記非居室空間６，７として、当該低天井領域５の下方に配置される下階の部屋１４と前記片流れ屋根３との間に位置する吹抜け空間７が設けられていることを特徴とする。
【００１４】
請求項４に記載の発明によれば、低天井領域５には、非居室空間６，７として、当該低天井領域５の下方に位置する下階の部屋１４と片流れ屋根３との間に位置する吹抜け空間７が設けられていることから、これら吹抜け空間７と下階の部屋１４は上下に隣接した状態となっている。そして、このように下階の部屋１４の上方に吹抜け空間７が形成されれば、下階の部屋１４における開放感を高めることができる。また、吹抜け空間７に行われた採光または通風を、下階の部屋１４にも取り込むことができるので、下階の部屋１４における居住快適性の向上に貢献することができる。
【００１５】
請求項５に記載の発明は、例えば図３，図６，図７に示すように、請求項１〜４のいずれか一項に記載の建物１において、
前記建物本体２は、下階よりも上階の方が、東西方向よりも南北方向に長く形成されていることを特徴とする。
【００１６】
請求項５に記載の発明によれば、建物本体２は、下階よりも上階の方が、東西方向よりも南北方向に長く形成されているので、面積の広い片流れ屋根３を設置するのに適したものとなる。片流れ屋根３の面積を広くすることができれば、その分、太陽光発電アレイ４の面積も広くすることができるので、発電効率を高めることが可能となる。
【発明の効果】
【００１７】
本発明によれば、片流れ屋根における南側の軒側端部の下方に位置する低天井領域を有効利用しつつ、太陽光発電アレイによる発電効率を高めることができる。
【図面の簡単な説明】
【００１８】
【図１】建物を示す斜視図である。
【図２】南側から見た場合の建物の立面図である。
【図３】西側から見た場合の建物の立面図である。
【図４】建物の俯瞰図である。
【図５】図３におけるＣ−Ｃ部分の断面図である。
【図６】図２におけるＡ−Ａ部分の断面図である。
【図７】図２におけるＢ−Ｂ部分の断面図である。
【図８】（ａ）は低天井領域付近における他の例を示す平断面図であり、（ｂ）は低天井領域付近における他の例を示す縦断面図である。
【発明を実施するための形態】
【００１９】
以下、図面を参照して本発明の実施の形態について説明する。
各図において符号１は、建物を示す。この建物１は、南北方向に長く形成された複数階建ての建物本体２と、当該建物本体の上に設けられる片流れ屋根３と、を備える。なお、本実施の形態における建物本体２は二階建てとされている。
また、片流れ屋根３は、北側に位置する棟側端部３ａが高く、かつ南側に位置する軒側端部３ｂが低くなっている。すなわち、当該片流れ屋根３は、北側から南側に向かって下り勾配となっており、屋根面の全面が南側を向いた状態となっている。
なお、建物本体２が南北方向に長く形成されているため、これに合わせて、片流れ屋根３も南北方向に長く形成されている。
【００２０】
建物本体２を南北方向に長く形成する理由としては、例えば都市部等のように敷地形状・面積の制約から、建物も南北方向に長く形成せざるを得ない場合や、建築主の要望により南北方向に長く形成する場合がある。
このような建物本体２は、図３，図６，図７に示すように、下階よりも上階の方が南北方向に長く形成されている。すなわち、建物本体２の上階は、下階に対してオーバーハングした状態となっている。
【００２１】
より詳細に説明すると、建物本体２の上階の北側端部は、下階の北側端部よりも外側（北側）に張り出した状態となっている。すなわち、建物本体２の上階における内部空間は、下階における内部空間よりも北側に進出するように設定されている。
一方、建物本体２の上階の南側端面は、下階の南側端面と同一垂直面上に配置されており、さらに、「うだつ」状の袖壁２ｂが、建物本体２の上階における南側の外壁面（後述する外壁８の表面）の幅方向両端部に設けられた状態となっている。当該袖壁２ｂは、片流れ屋根３をより確実に支持するために設けられており、図３に示すように上方に向かって徐々にオーバーハングするように傾斜している。
これにより、袖壁２ｂを含む建物本体２の上階における東西の外壁面２ａは、上縁部が片流れ屋根３の下端部に対応して傾斜して配置され、下縁部が水平に配置され、北側縁部が垂直に配置され、南側縁部が前傾して配置されている。
なお、建物本体２の下階における南側の外壁面の幅方向両端部には、うだつ状の袖壁２ｂと一体的に袖壁２ｃが設けられている。袖壁２ｃは上下に真っ直ぐ形成され、オーバーハングしていない状態となっている。
【００２２】
片流れ屋根には、図２〜図５に示すように、太陽光発電アレイ４が設置されている。なお、太陽光発電アレイ４とは、太陽電池を強化ガラス等でラミネートして耐候性を持たせた太陽光発電モジュール４ａを並べて接続し、所望の発電量が得られるようにしたものである。
なお、北半球の各国では南向きの屋根面が極力広いことが望ましく、南半球の各国では北向きの屋根面が広いことが望ましい。すなわち、北半球と南半球とでは太陽の位置が異なるため、本実施の形態については、これに合わせて方角に係る構成を適宜変更してもよい。
【００２３】
そして、建物本体２における上階のうち軒側端部３ｂの下方に位置する領域は、隣接する上階の部屋（後述する第二寝室２１および第三寝室２２）よりも天井高の低い低天井領域５とされている。このような低天井領域５には、当該低天井領域５に隣接する他の部屋（後述する居室１４および第三寝室２２）に対する採光または通風のための非居室空間６，７が設けられている。
さらに、低天井領域の周囲にある外壁８のうち南側の外壁には、図１，図２，図５，図７に示すように、非居室空間６，７のそれぞれに対応する開口部８ａ，８ｂが形成されている。
【００２４】
ここで、図６，図７を参照して建物１の間取りについて説明する。
建物本体２の下階の中央西側に玄関ポーチ１０および玄関１１が配置されている。玄関ポーチ１０は、建物本体２の内側に入り込んだようなインナー部として形成されている。
玄関１１の東側には、下階の中心部に位置するとともに南北に延びる下階の廊下１２が配置されている。
廊下１２の東側には坪庭１３が配置されている。当該坪庭１３は、建物本体２の内側に入り込んだようなインナー部として形成されている。
玄関ドアを開放し、廊下１２と坪庭１３との間にある掃き出し窓１３ａを開放することで、東西方向に吹く風を建物本体２内に取り込みやすくなる。
【００２５】
廊下１２を南側に進んだ先には、リビングとダイニングとキッチンの機能を一室に併存させた部屋（以下、居室１４）が配置されている。
廊下１２を北側に進んだ先には、上階と下階とを繋ぐ階段１５が設けられている。
階段１５の東側には、廊下１２と行き来できる部屋１６が配置されている。
さらに、階段１５の西側には、トイレと脱衣所と浴室とを有するサニタリー１７が配置されている。
【００２６】
階段１５を上がった先には、南北に延びる上階の廊下１８が配置されている。また、階段１５の西側には、廊下１８と行き来できる納戸１９が配置されている。
廊下１８を進んだ先には、階段１５の東側に位置する第一寝室２０が配置されている。
廊下１８の南側には、東側に位置する第二寝室２１と、西側に位置する第三寝室２２とが配置されている。第三寝室２２は主寝室とされており、ウォークインクローゼット２３が併設されている。
そして、第二寝室２１および第三寝室２２の南側が、低天井領域５となっている。これら第二寝室２１および第三寝室２２と低天井領域５との間には壁２４が設けられており、壁２４のうち、第三寝室２２側には、第三寝室２２と低天井領域５とを行き来するための出入口２４ａが形成されている。また、壁２４のうち、第二寝室２１側には、第二寝室２１と低天井領域５とを連通する窓２４ｂが形成されている。当該窓２４ｂは採光または通風のために設けられる。
本実施の形態においては、第二寝室２１および第三寝室２２が、低天井領域５に隣接する上階の部屋に相当する。これら第二寝室２１および第三寝室２２の天井高は、建築基準法施行令第２１条の規定を満たす、２．１ｍ以上に設定されている。より具体的には、２．４ｍ程度に設定されているものとする。
【００２７】
続いて、低天井領域５について詳細に説明する。
低天井領域５は、図６，図７に示すように、居室１４の上方であって、第二寝室２１および第三寝室２２の南側に位置している。また、低天井領域５は、上述した外壁８と壁２４によって囲まれた状態となっている。すなわち、外壁８が、低天井領域５の南側と東側と西側に配置され、壁２４が、低天井領域５の北側に配置されている。
そして、上述のように、低天井領域５には、当該低天井領域５に隣接する他の部屋１４，２２に対する採光または通風のための非居室空間６，７が設けられており、一方の非居室空間はバルコニー６であり、他方の非居室空間は吹抜け空間７である。
東西方向に隣接する非居室空間であるバルコニー６と吹抜け空間７との間には、これらバルコニー６と吹抜け空間７とを仕切る壁２５が設けられている。なお、当該壁２５の上端部には、図示はしないが、吹抜け空間７内の暖気を排出する換気孔（換気扇付きも可）が形成されていてもよい。また、当該壁２５には、採光または通風のための窓が設けられていてもよい。
【００２８】
バルコニー６は、床６ａから片流れ屋根３まで吹き抜けており、片流れ屋根３のうち当該バルコニー６上方に位置する箇所には屋根開口部３ｃが形成されている。なお、太陽光発電アレイ４は当該屋根開口部３ｃを避けて配置されている。
また、外壁８および壁２４，２５の、バルコニー６に面する壁面には、外壁材が取り付けられており、雨仕舞いに優れる。
【００２９】
また、低天井領域５周囲に設けられる外壁８の開口部８ａは、図１，図２に示すように、片流れ屋根３の下面に到達する高さに形成されており、手摺６ｂが設けられている。手摺６ｂの上端部と、開口部８ａの上縁部（片流れ屋根３の下面の位置）との間は屋外に向かって開放されている。
なお、本実施の形態のバルコニー６に設けられる手摺６ｂは、支柱間に透光性を有する面材が設けられたものを採用したが、これに限られるものではなく、格子状に形成された手摺を採用してもよい。すなわち、透光性を有する面材を用いた手摺６ｂであれば、手摺６ｂ自体によって採光を阻害することがない。また、格子状の手摺であれば、格子間を風が通過するので、手摺自体によって通風を阻害することがない。また、採光・通風を可能としたルーバータイプの手摺を用いてもよい。
【００３０】
そして、バルコニー６における開口部８ａと、このバルコニー６の位置に対応する片流れ屋根３の屋根開口部３ｃによって、バルコニー６内における採光・通風を確保することができる。また、バルコニー６と第三寝室２２とが出入口２４ａを介して行き来できるので、採光・通風を第三寝室２２側、延いては建物本体２の上階に向かって行うこともできる。
【００３１】
吹抜け空間７は、図５〜図７に示すように、低天井領域５である当該吹抜け空間７の下方に配置された居室１４と片流れ屋根３との間に位置しており、居室１４床から片流れ屋根３までの間を空間的に接続する機能を有する。
換言すれば、吹抜け空間７と居室１４との間には、バルコニー６のように床は設けられておらず、吹抜け空間７は居室１４の上方への延長空間として設けられ、居室１４における開放感の向上に貢献している。
【００３２】
低天井領域５周囲に設けられる外壁８の開口部８ｂは、図１，図２に示すように、バルコニー６の手摺６ｂと略等しい高さに形成されている。
また、この開口部８ｂには開閉できない状態の嵌め殺し窓が設けられており、採光のみ可能となっている。ただし、これに限られるものではなく、通風のために、開閉自在な窓を設けるようにしてもよい。その操作は手動でもよいし、自動でもよい。
そして、このような吹抜け空間７に面する開口部８ｂによれば、当該開口部８ｂから吹抜け空間７に差し込む太陽光を、居室１４側へと差し込ませることができる。
【００３３】
以上のように、バルコニー６および吹抜け空間７（すなわち、低天井領域５）は、建物本体２における採光・通風のための重要な箇所となる。特に、比較的暖かい時期における主風向が南から北に向かって吹くものであれば、風を建物本体２内に取り込みやすくなる。また、比較的寒い時期には、太陽光を建物本体２内に取り込みやすくなる。さらに、例えば、上述したように壁２５に換気孔を設けたり、片流れ屋根３のうち吹抜け空間７に対応する位置に天窓を設けたりすれば、建物本体２の下階の暖気の排出に貢献できるので好ましい。
【００３４】
低天井領域５の天井高は、片流れ屋根３の傾斜に応じて適宜設定されるものであり、上述のように前提として、隣接する上階の部屋である第二寝室２１および第三寝室２２よりも天井高が低く設定されていればよいものとする。
本実施の形態の場合は、低天井領域５とは、棟側端部３ａの高さが北側斜線制限に基づいて設定され、その条件下で、片流れ屋根の下方における建物本体の領域のうち、建築基準法施行令第２１条により定められた天井の高さ２．１ｍを確保できない領域を指している。
なお、ここで言う建築基準法施行令第２１条により定められた天井の高さは、一室で天井の高さの異なる部分がある場合においては、その平均の高さを指すものとしてもよいため、低天井領域５の天井高は、その平均の高さが２．１ｍ未満であることが望ましい。より具体的に説明すると、本実施の形態において下階の床面から上階の床面までの高さが、上階の床を構成する床体を含めて、２，９１０ｍｍに設定されている。非居室空間７は、後述のように吹抜け空間であるが、当該吹抜け空間７の天井高（すなわち下階の床面から低天井領域５の天井までの高さ）は、外壁８側が４，７３０ｍｍとされ、壁２４側が５，２５０ｍｍとされている。したがって、低天井領域５に相当する部分の天井高は、外壁８側が１，８２０ｍｍとされ、壁２４側が２，３４０ｍｍとされている。１，８２０ｍｍと２，３４０ｍｍの平均値は、２，０８０ｍｍであり、２．１ｍには満たない設定となっている。
【００３５】
なお、本実施の形態において低天井領域５には、非居室空間として、バルコニー６と吹抜け空間７が設けられるものとしたが、これに限られるものではない。
例えば、低天井領域５には、バルコニー６と吹抜け空間７のうち、いずれか一方だけが設けられるものとしてもよい。
また、低天井領域５に隣接する上階の部屋として、第二寝室２１および第三寝室２２の二つの部屋を挙げたが、これに限られるものではなく、間仕切壁のない一つの部屋であってもよい。
【００３６】
さらに、例えば図８（ａ），（ｂ）に示すように、低天井領域５には、バルコニー６や吹抜け空間７だけでなく、天井高が０．８ｍ〜１．４ｍに設定された収納空間２６が設けられてもよいものとする。当該収納空間２６は、低天井領域５の床面よりも一段高い中間床２６ａと、外壁８と、壁２４と、これら壁８，２４に直交して配置される壁２５ａ，２５ａとによって仕切られており、壁２４に形成された出入口２４ｃを介して、第三寝室２２と行き来できる。すなわち、低天井領域５内には、バルコニー６と吹抜け空間７と収納空間２６の三つが設けられたり、バルコニー６と収納空間２６の二つが設けられたり、吹抜け空間７と収納空間２６の二つが設けられてもよい。
また、図８（ｂ）に示す例では、収納空間２６を構成する中間床２６ａと片流れ屋根３との間は、バルコニー６と吹抜け空間７とを連通する連通空間２７となっている。連通空間２７を構成するバルコニー６側の壁および吹抜け空間７側の壁のそれぞれには、採光または通風のための開口部２７ａ，２７ｂが形成されている。なお、吹抜け空間７側の開口部２７ｂは人が通過できない構成となっているものとする。
さらに、低天井領域５におけるバルコニー６と吹抜け空間７と収納空間２６の幅寸法等のサイズ設定については適宜変更可能であるが、収納空間２６を、屋根開口部３ｃの範囲に入るように形成することで、屋根開口部３ｃの直下に中間床２６ａを配置することができる。これによって、例えば梯子等の昇降手段２８を適宜設置することで、低天井領域５から片流れ屋根３上に、より登りやすくなるので、片流れ屋根３自体や太陽光発電アレイ４のメンテナンス時に好適である。
【００３７】
本実施の形態によれば、南北に長い建物本体２の上に、北側に位置する棟側端部３ａが高く、かつ南側に位置する軒側端部３ｂが低い片流れ屋根３が設けられているので、例えば複数の屋根面を有する屋根とは異なり、北側を向く屋根面が形成されず、屋根面全面が南側を向く状態となる。そして、この片流れ屋根３に太陽光発電アレイ４が設置されているので、例えば複数の屋根面を有する屋根よりも発電効率を高めることができる。
さらに、南側の軒側端部３ｂの下方に位置する低天井領域５には、当該低天井領域５に隣接する第三寝室２２および居室１４に対する採光または通風のための非居室空間６，７が設けられているので、低天井領域５をデッドスペースとせずに、隣接する第三寝室２２および居室１４のために有効利用することができる。そして、非居室空間６，７に隣接する第三寝室２２および居室１４においては採光性・通風性が高まるので、当該隣接する第三寝室２２および居室１４における居住快適性を向上させることができる。
【００３８】
また、低天井領域５の周囲には外壁８があり、当該外壁８には開口部８ａ，８ｂが形成されているので、当該開口部８ａ，８ｂを通じて採光または通風を確実に行うことができる。
また、低天井領域５の周囲には外壁８があるので、当該外壁８によって、建物１を外から見た場合の低天井領域５への視線を遮ることができる。
【００３９】
また、低天井領域５には、非居室空間としてバルコニー６が設けられているので、低天井領域５に隣接する第三寝室２２と屋外との間に介在し、これらを採光・通風のために繋ぐ空間としての役割を持たせやすいという利点がある。また、建物１内のその他の場所にバルコニーを設ける必要もないので、空間の有効利用に貢献できる。
また、バルコニー６は、床６ａから片流れ屋根３まで吹き抜けており、片流れ屋根３のうちバルコニー６上方に位置する箇所には屋根開口部３ｃが形成されているので、当該屋根開口部３ｃを通じてバルコニー６に対して採光・通風を行うことができる。さらに、バルコニー６に隣接する第三寝室２２に対して、当該バルコニー６を通じた採光・通風を行うことが可能となる。しかも、低天井領域５に設けられたバルコニー６が、床６ａから片流れ屋根３まで吹き抜けており、バルコニー６がある方の片流れ屋根３の軒側端部３ｂ自体の高さも低いため、片流れ屋根３自体や太陽光発電アレイ４にメンテナンスが必要な時に、バルコニー６から片流れ屋根３上に登りやすい。
また、太陽光発電アレイ４は当該屋根開口部３ｃを避けて片流れ屋根３に配置されているので、太陽光発電アレイ４によって採光・通風を妨げることがない。
【００４０】
また、低天井領域５には、非居室空間として、当該低天井領域５の下方に位置する居室１４と片流れ屋根３との間に位置する吹抜け空間７が設けられていることから、これら吹抜け空間７と居室１４は上下に隣接した状態となっている。そして、このように居室１４の上方に吹抜け空間７が形成されれば、居室１４における開放感を高めることができる。また、吹抜け空間７に行われた採光を、居室１４にも取り込むことができるので、居室１４における居住快適性の向上に貢献することができる。
【００４１】
また、建物本体２は、下階よりも上階の方が南北方向に長く形成されているので、面積の広い片流れ屋根３を設置するのに適したものとなる。片流れ屋根３の面積を広くすることができれば、その分、太陽光発電アレイ４の面積も広くすることができるので、発電効率を高めることが可能となる。
【符号の説明】
【００４２】
１  建物
２  建物本体
３  片流れ屋根
３ａ  棟側端部
３ｂ  軒側端部
４  太陽光発電アレイ
５  低天井領域
６  非居室空間（バルコニー）
７  非居室空間（吹抜け空間）
【図１】
0006468771.tif 000002
【図２】
0006468771.tif 000003
【図３】
0006468771.tif 000004
【図４】
0006468771.tif 000005
【図５】
0006468771.tif 000006
【図６】
0006468771.tif 000007
【図７】
0006468771.tif 000008
【図８】
0006468771.tif 000009